(57)【要約】【課題】固定側電極と可動接触子間の接触抵抗の低減とともに、可動接触子の操作力の低減を図る。【解決手段】一方の電路となる固定側電極１と、他方の電路となる可動側電極２と、可動側電極２を支点として回動するとともに、固定側電極１と接離する２枚の板状の可動接触子３ａ、３ｂとを備えた断路装置において、可動接触子３ａ、３ｂが固定側電極１に接離する端部に、接触荷重バネ２７ａ、２７ｂのバネ力により回動して固定側電極１に接離する接触ブロック２５ａ、２５ｂを有する回転接触部材２３ａ、２３ｂを設けたことを特徴とする。【選択図】  図１
2014235951.tif 000002
【特許請求の範囲】
【請求項１】
一方の電路となる固定側電極と、
他方の電路となる可動側電極と、
前記可動側電極を支点として回動するとともに、前記固定側電極と接離する可動接触子とを備えた断路装置において、
前記可動接触子が前記固定側電極に接離する端部に、接触荷重バネのバネ力により回動して前記固定側電極に接離する接触ブロックを有する回転接触部材を設けたことを特徴とする断路装置。
【請求項２】
前記回転接触部材は、回転する円柱状の回転電極と、
前記回転電極の外周面に突出して設けられた前記接触ブロックと、
前記回転電極を回転自在に固定する可動ピンと、
前記回転電極の外周面に荷重を加えて回転力を与える前記接触荷重バネと、
で構成されることを特徴とする請求項１に記載の断路装置。
【請求項３】
前記接触荷重バネを皿バネで構成したことを特徴とする請求項１または請求項２に記載の断路装置。
【発明の詳細な説明】
【技術分野】
【０００１】
本発明の実施形態は、操作力の低減を図り、通電特性を向上し得る断路装置に関する。
【背景技術】
【０００２】
断路装置には、電路を確実に接続または断路する責務が課せられている。このため、接続時には固定側電極と可動側電極の接触抵抗を低減して通電特性の向上を図り、断路時には極間での耐電圧特性の向上が図られている（例えば、特許文献１参照。）。
【０００３】
この種の断路装置を図３（ａ）、（ｂ）に示すが、一方の電路となる固定側電極１と、他方の電路となる可動側電極２と、一方端が可動側電極２を支点として回動し、他方端が固定側電極１に接離する板状の２枚の可動接触子３ａ、３ｂで構成されている。図６（ａ）は側面図、（ｂ）は断面図である。
【０００４】
可動側電極２側では、可動側電極２と可動接触子３ａ、３ｂを一体で固定する回転自在の操作軸４が貫通している。固定側電極１と可動側電極２間の可動接触子３ａ、３ｂ間には、複数のワイプピン５が貫通し、その両端に、可動接触子３ａ、３ｂを内側に押し付けるように付勢された加圧バネ６ａ、６ｂが設けられている。可動接触子３ａ、３ｂが固定側電極１、可動側電極２と接触する内側には、それぞれ凸部７ａ、７ｂが設けられ、接触抵抗の低減が図られている。なお、可動接触子３ａ、３ｂには、図示しない絶縁操作ロッドと操作機構が連結され、操作軸４を支点として回動するようになっている。
【０００５】
これにより、固定側電極１、可動側電極２と凸部７ａ、７ｂ間が加圧され、それによって加圧力が発生し、通電が行われる。接触抵抗を低減するためには、加圧バネ６ａ、６ｂのバネ力を増大させ、摩擦力を大きくしなければならない。すると、操作機構の操作力を大きくしなければならず、一般的には操作モータが用いられているので、その容量を大きくしなければならなかった。このため、可動接触子３ａ、３ｂの操作力を増大させることなく、接触抵抗の低減を図れるものが望まれていた。
【先行技術文献】
【特許文献】
【０００６】
【特許文献１】特開平１０−１６２６９６号公報
【発明の概要】
【発明が解決しようとする課題】
【０００７】
本発明が解決しようとする課題は、一方端が可動側電極２を支点として回動し、他方端が固定側電極１と接離する可動接触子３ａ、３ｂを有する断路装置であって、接触抵抗の低減とともに、可動接触子３ａ、３ｂを回動させる操作力を低減することのできる断路装置を提供することにある。
【課題を解決するための手段】
【０００８】
上記課題を解決するために、実施形態の断路装置は、一方の電路となる固定側電極と、他方の電路となる可動側電極と、前記可動側電極を支点として回動するとともに、前記固定側電極と接離する可動接触子とを備えた断路装置において、前記可動接触子が前記固定側電極に接離する端部に、接触荷重バネのバネ力により回動して前記固定側電極に接離する接触ブロックを有する回転接触部材を設けたことを特徴とする。
【図面の簡単な説明】
【０００９】
【図１】本発明の実施例に係る断路装置の構成を示す図。
【図２】本発明の実施例に係る断路装置の動作を説明する図。
【図３】従来の断路装置の構成を示す図。
【発明を実施するための形態】
【００１０】
以下、図面を参照して本発明の実施例を説明する。
【実施例】
【００１１】
本発明の実施例に係る断路装置を図１、図２を参照して説明する。図１は、本発明の実施例に係る断路装置の構成を示す図であり、（ａ）は側面図、（ｂ）は断面図、図２は、本発明の実施例に係る断路装置の動作を説明する図である。なお、従来と同様の構成部分は、同一符号を付した。
【００１２】
図１（ａ）、（ｂ）に示すように、断路装置は、一方の電路となる固定側電極１と、他方の電路となる可動側電極２と、一方端が可動側電極２を支点として回動し、他方端が固定側電極１に接離する板状の２枚の可動接触子３ａ、３ｂで構成されている。
【００１３】
可動側電極２側では、可動側電極２と可動接触子３ａ、３ｂを一体で固定する回転自在の操作軸４が貫通している。操作軸４の両端には、凹部２０ａ、２０ｂが設けられ、可動接触子３ａ、３ｂを可動側電極２側に押し付けるように付勢した加圧バネ２１ａ、２１ｂが設けられている。可動接触子３ａ、３ｂには、可動側電極２と摺動する面に、接触抵抗を低減させるための凸部２２ａ、２２ｂが設けられている。
【００１４】
可動接触子３ａ、３ｂが固定側電極１と接離する端部には、それぞれ一対の回転接触部材２３ａ、２３ｂが設けられている。一対の回転接触部材２３ａ、２３ｂは、固定側電極１と接離する方向の幅方向に設けられている。
【００１５】
以下、一方の回転接触部材２３ａを用いて説明する。回転接触部材２３ａは、回転する円柱状の回転電極２４ａ、２４ｂ、回転電極２４ａ、２４ｂの外周面に三角状や半円状に突出して設けられた固定側電極１と接離する接触ブロック２５ａ、２５ｂ、回転電極２４ａ、２４ｂを可動接触子３ａに回転自在に固定する可動ピン２６、回転電極２４ａ、２４ｂに回転力を与える接触荷重バネ２７ａ、２７ｂ、回転電極２４ａ、２４ｂの回転を所定位置で止める回転電極２４ａ、２４ｂの外周に固定されたストッパー２８ａで構成されている。接触ブロック２５ａ、２５ｂは、可動接触子３ａの板面から固定側電極１側に突出している。なお、回転電極２４ａ、２４ｂ、接触荷重バネ２７ａ、２７ｂ、可動ピン２６を回転自在に固定する部位などは、可動接触子３ａに所定形状の彫り込みを設けて収納している。
【００１６】
ここで、図１（ｂ）に示すように、回転電極２４ａ、２４ｂの回転軸の図示真横以外の外周面に接触荷重バネ２７ａ、２７ｂのバネ軸の中心を位置させることにより、回転電極２４ａ、２４ｂを回転させるようにしている。即ち、回転電極２４ａ、２４ｂの回転軸と接触荷重バネ２７ａ、２７ｂのバネ軸の中心を所定距離Ａずらすことにより、回転電極２４ａ、２４ｂと接触ブロック２５ａ、２５ｂが固定側電極１側に回転するような回転力を与えている。回転力は、接触荷重バネ２７ａ、２７ｂのバネ力に比例し、接触荷重となる。なお、可動接触子３ａ、３ｂの板厚に余裕があるときには、接触ブロック２５ａ、２５ｂの反対側の回転電極２４ａ、２４ｂの外周面に突出部を設け、この突出部を接触荷重バネ２７ａ、２７ｂで押すようにしてもよい。
【００１７】
固定側電極１には、回転接触部材２３ａ、２３ｂが最初に接離する部分にテーパ部１ａを設けている。接触する時に過大となる応力を低減するためである。
【００１８】
次に、回転接触部材２３ａ、２３ｂの動作を図２を参照して説明する。図示上側の回転接触部材２３ａを用いて説明する。
【００１９】
図２に示すように、固定側電極１に可動接触子３ａが接触すると、ストッパー２８ａによって停止していた接触ブロック２５ａが、テーパ部１ａによって、接触荷重バネ２７ａのバネ力に抗して時計方向に回動する。更に、可動接触子３ａ、３ｂを回動させ、固定側電極１の平行部に達して接続位置になると、接触ブロック２５ａが接触荷重バネ２７ａのバネ力によって反時計方向に加圧される。これが接触荷重となり、良好な通電を行うことができる。接触ブロック２５ａは、例えば、銀−ニッケル合金を用い、導電性、耐熱性、磨耗性などを向上させることが好ましい。
【００２０】
なお、図示下段の回転接触部材２３ｂは、上段と逆の動きとなり、上下段の接触ブロックで固定側電極１を挟むように回動し、通電を行うものとなる。上下段の接触ブロックは、接触荷重バネで接触荷重を加えるので、バネ力を調整することにより、所定の接触荷重とすることができる。また、接触荷重バネ２７ａをリング状に変えて皿バネにすると、スペースを抑制することができる。
【００２１】
上下段の接触ブロックは、可動ピン２６を支点とした回動動作によって接離するので、可動接触子３ａ、３ｂを回動させる操作力、例えば操作モータの容量を抑制することができる。
【００２２】
上記実施例の断路装置によれば、可動接触子３ａ、３ｂが固定側電極１と接離する面に、接触荷重バネ２７ａ、２７ｂのバネ力で所定の接触荷重を加える回転接触部材２３ａ、２３ｂを設けているので、接触抵抗を低減することができ、また、従来のような摩擦力を上回るような可動接触子３ａ、３ｂの操作力が不要であり、操作モータなどの容量を抑制することができる。
【００２３】
以上述べたような実施形態によれば、接触抵抗の低減とともに、固定側電極と接離する可動接触子の操作力を低減させることができる。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１  固定側電極
２  可動側電極
３ａ、３ｂ  可動接触子
４  操作軸
６ａ、６ｂ、２１ａ、２１ｂ  加圧バネ
２３ａ、２３ｂ  回転接触部材
２４ａ、２４ｂ  回転電極
２５ａ、２５ｂ  接触ブロック
２６  可動ピン
２７ａ、２７ｂ  接触荷重バネ
２８ａ  ストッパー
【図１】
2014235951.tif 000003
【図２】
2014235951.tif 000004
【図３】
2014235951.tif 000005